【手続補正書】
【提出日】平成24年5月11日(2012.5.11)
【手続補正１】
【補正対象書類名】明細書
【補正対象項目名】００６６
【補正方法】変更
【補正の内容】
【００６６】
本願で引用したすべての参照文献及び刊行物は、本開示と完全には矛盾することのない程度まで、そのすべてが引用によって本開示に明白に組み込まれる。本明細書において特定の実施形態が例示及び説明されてきたが、多様な代替及び／又は同等の実施が、本開示の範囲から逸脱することなく、図示され説明された特定の実施形態と置き換えられ得ることは、当業者には理解されるであろう。本出願は、本明細書で説明された特定の実施形態のいかなる翻案又は変形をも包含すべく意図されている。したがって、本開示が特許請求の範囲及びその同等物によってのみ限定されることを、意図するものである。本発明の実施態様の一部を以下の項目１−３７に列記する。
〔１〕
第１面を有する反射体と、
前記第１面に隣接して取り付けられた光源及び回路と、
前記光源が、前記反射体に対する法線から５０度未満の角度からは見えないように、前記光源の上に配置され前記反射体の一部の上に張り出しているバッフルと、
を備える、コリメート光エンジン。
〔２〕
前記光源が、前記反射体の前記第１面にほぼ平行な放射光軸を有する、項目１に記載のコリメート光エンジン。
〔３〕
前記光源が、前記反射体に対する法線から６０度未満の角度からは見えない、項目１に記載のコリメート光エンジン。
〔４〕
前記反射体が、鏡面反射体又は半鏡面反射体である、項目１に記載のコリメート光エンジン。
〔５〕
前記反射体が多層干渉反射体である、項目１に記載のコリメート光エンジン。
〔６〕
前記反射体及び前記バッフルのうちの少なくとも一方が光学干渉層を含む、項目１に記載のコリメート光エンジン。
〔７〕
前記反射体及び前記バッフルのうちの少なくとも一方が銀を含む、項目１に記載のコリメート光エンジン。
〔８〕
前記光源及び回路が回路化基板に配置され、前記回路化基板が前記反射体に取り付けられた、項目１に記載のコリメート光エンジン。
〔９〕
前記回路化基板が可撓性である、項目８に記載のコリメート光エンジン。
〔１０〕
前記バッフルの第１面が前記光源に向き、第２面が前記第１面と反対側を向き、前記第１面及び第２面のうちの少なくとも一方が光を反射する、項目１に記載のコリメート光エンジン。
〔１１〕
前記光源から放射された光が、前記反射体に平行な横断面の３０度以内に部分的にコリメートされる、項目１に記載のコリメート光エンジン。
〔１２〕
前記光源がＬＥＤを含む、項目１に記載のコリメート光エンジン。
〔１３〕
前記ＬＥＤがコリメートレンズを更に含む、項目１２に記載のコリメート光エンジン。
〔１４〕
前記ＬＥＤが、有色ＬＥＤ、白色ＬＥＤ、及びこれらの組み合わせから成る群から選択される、項目１２に記載のコリメート光エンジン。
〔１５〕
前記ＬＥＤが、前記反射体に対する法線を中心に３６０度未満の角度広がりで光を放射することができる、項目１２に記載のコリメート光エンジン。
〔１６〕
前記バッフル及び前記反射体が、一体型の折り畳まれたフィルムを含む、項目１に記載のコリメート光エンジン。
〔１７〕
前記バッフルが、接着剤により前記光源の上に取り付けられている、項目１に記載のコリメート光エンジン。
〔１８〕
前記反射体の前記第１面にほぼ平行な放射光軸を有するように、前記第１面に隣接して取り付けられており、第１光源の方向に向いている、第２光源及び回路と、
前記反射体に対する法線から５０度未満の角度からは前記第２光源が見えないように、前記第２光源の上に配置され前記反射体の一部の上に張り出しているバッフルと、
を更に備える、項目１に記載のコリメート光エンジン。
〔１９〕
前記第２光源が、前記反射体に対する法線から６０度未満の角度からは見えない、項目１８に記載のコリメート光エンジン。
〔２０〕
項目１に記載のコリメート光エンジンを備える、バックライト。
〔２１〕
複数のコリメート光エンジンが、硬い基板の上で前記放射光軸に平行な方向に沿って配置されている、項目２０に記載のバックライト。
〔２２〕
前記複数のコリメート光エンジンの各々が独立して制御可能な、項目２１に記載のバックライト。
〔２３〕
前記コリメート光エンジンと光通信する光センサを更に備える、項目２０に記載のバックライト。
〔２４〕
項目２０に記載のバックライトを備える、照明装置。
〔２５〕
項目１に記載のコリメート光エンジンを備える、照明器具。
〔２６〕
項目１に記載のコリメート光エンジンを備える、タスクライト。
〔２７〕
項目１に記載のコリメート光エンジンを備える、光源。
〔２８〕
反射体を提供する工程と、
平面回路化基板に実装され、前記平面回路化基板にほぼ平行な放射光軸を有する光源を提供する工程と、
前記反射体を形成してバッフル及び背面反射体を提供する工程であって、前記バッフルが、前記背面反射体の一部の上に張り出している、工程と、
前記バッフルが、前記背面反射体に対する法線から５０度未満の角度からは前記光源を見えなくするように、前記バッフルと前記背面反射体との間に前記平面回路化基板を取り付ける工程と、
を含む、コリメート光エンジンを作製する方法。
〔２９〕
前記バッフルが、前記背面反射体に対する法線から６０度未満の角度からは前記光源を見えなくする、項目２８に記載の方法。
〔３０〕
反射体を提供する工程と、
平面回路基板に実装され、前記平面回路化基板にほぼ平行な放射光軸を有する光源を提供する工程と、
前記反射体に前記平面回路基板を取り付ける工程と、
バッフルを提供する工程と、
前記光源の上に前記バッフルを取り付けて、前記反射体に対する法線から５０度未満の角度からは前記光源を見えなくする、工程と、
を含み、前記バッフルが、前記反射体の一部の上に張り出している、コリメート光エンジンを作製する方法。
〔３１〕
前記バッフルが、前記背面反射体に対する法線から６０度未満の角度からは前記光源を見えなくする、項目３０に記載の方法。
〔３２〕
反射体を提供する工程と、
前記反射体上に回路を形成する工程と、
前記反射体に対してほぼ平行な放射光軸を有する光源を前記回路に取り付ける工程と、
前記反射体を形成してバッフル及び背面反射体を提供する工程であって、前記バッフルが、前記回路及び光源を含む前記背面反射体の一部の上に張り出している、工程と、
を含み、
前記バッフルが、前記背面反射体に対する法線から５０度未満の角度からは前記光源を見えなくすることができる、
コリメート光エンジンを作製する方法。
〔３３〕
前記バッフルが、前記背面反射体に対する法線から６０度未満の角度からは前記光源を見えなくする、項目３２に記載の方法。
〔３４〕
前記平面回路化基板が可撓性である、項目２８又は項目３０に記載の方法。
〔３５〕
前記反射体がロールで提供される、項目２８、項目３０又は項目３２に記載の方法。
〔３６〕
前記形成工程及び取り付け工程が連続して実施される、項目２８、項目３０又は項目３２に記載の方法。
〔３７〕
項目２８、項目３０又は項目３２に記載の方法で生産されたコリメート光エンジンのロール。
【手続補正２】
【補正対象書類名】特許請求の範囲
【補正対象項目名】全文
【補正方法】変更
【補正の内容】
【特許請求の範囲】
【請求項１】
第１面を有する反射体と、
前記第１面に隣接して取り付けられた光源及び回路と、
前記光源が、前記反射体に対する法線から５０度未満の角度からは見えないように、前記光源の上に配置され前記反射体の一部の上に張り出しているバッフルと、
を備える、コリメート光エンジン。
【請求項２】
前記光源が、前記反射体の前記第１面にほぼ平行な放射光軸を有する、請求項１に記載のコリメート光エンジン。
【請求項３】
前記光源から放射された光が、前記反射体に平行な横断面の３０度以内に部分的にコリメートされる、請求項１に記載のコリメート光エンジン。
【請求項４】
請求項１に記載のコリメート光エンジンを備える、バックライト。